(57)【要約】【課題】  低コストかつ低消費電力で、駆動能力が高い演算増幅器及びこれを用いた駆動回路を提供する。【解決手段】  演算増幅器は、第１及び第２の導電型差動増幅回路１００、１１０と、第１及び第２の導電型の第１及び第２の駆動トランジスタＰＴＯ１、ＮＴＯ１により出力信号Ｖｏｕｔを出力する出力回路１２０とを含む。第１及び第２の導電型差動増幅回路１００、１１０は、入力信号Ｖｉｎ及び出力信号Ｖｏｕｔがそれぞれ入力される第１及び第２の導電型の第１及び第２の差動トランジスタ対（ＰＴ１、ＰＴ２、ＮＴ３、ＮＴ４）を含む。ｐ型トランジスタＰＴ１がオフのとき、第１の補助回路１３０が第１の出力ノードＮＤ１（第１の反転出力ノードＮＸＤ１）を補助的に駆動する。ｎ型トランジスタＮＴ３がオフのとき、第２の補助回路１４０が第２の出力ノードＮＤ２（第２の反転出力ノードＮＸＤ２）を補助的に駆動する。【選択図】      図４
2005175811.tif 000002
【特許請求の範囲】
【請求項１】
各トランジスタのソースが第１の電流源（ＣＳ１）に接続されると共に、入力信号（Ｖｉｎ）及び出力信号（Ｖｏｕｔ）が各トランジスタのゲートに入力される第１の導電型の第１の差動トランジスタ対（ＰＴ１、ＰＴ２）と、前記第１の差動トランジスタ対の各トランジスタのドレイン電流を生成する第１のカレントミラー回路（ＣＭ１）とを有する第１の導電型差動増幅回路（１００）と、
各トランジスタのソースが第２の電流源（ＣＳ２）に接続されると共に、前記入力信号及び前記出力信号が各トランジスタのゲートに入力される第２の導電型の第２の差動トランジスタ対（ＮＴ３、ＮＴ４）と、前記第２の差動トランジスタ対の各トランジスタのドレイン電流を生成する第２のカレントミラー回路（ＣＭ２）とを有する第２の導電型差動増幅回路（１１０）と、
前記入力信号（Ｖｉｎ）及び前記出力信号（Ｖｏｕｔ）に基づいて、前記第１の差動トランジスタ対を構成する２つのトランジスタのドレインである第１の出力ノード（ＮＤ１）及び第１の反転出力ノード（ＮＸＤ１）のうち少なくとも一方を駆動する第１の補助回路（１３０）と、
前記入力信号（Ｖｉｎ）及び前記出力信号（Ｖｏｕｔ）に基づいて、前記第２の差動トランジスタ対を構成する２つのトランジスタのドレインである第２の出力ノード（ＮＤ２）及び第２の反転出力ノード（ＮＸＤ２）のうち少なくとも一方を駆動する第２の補助回路（１４０）と、
前記第１の出力ノード（ＮＤ１）の電圧に基づいてそのゲート電圧が制御される第２の導電型の第１の駆動トランジスタ（ＮＴＯ１）と、そのドレインが前記第１の駆動トランジスタのドレインに接続され前記第２の出力ノード（ＮＤ２）の電圧に基づいてそのゲート電圧が制御される第１の導電型の第２の駆動トランジスタ（ＰＴＯ１）とを有し、前記第１の駆動トランジスタ（ＮＴＯ１）のドレインの電圧を前記出力信号（Ｖｏｕｔ）として出力する出力回路（１２０）とを含み、
前記第１の差動トランジスタ対（ＰＴ１、ＰＴ２）を構成するトランジスタのうち前記入力信号（Ｖｉｎ）がゲートに入力されるトランジスタ（ＰＴ１）のゲート・ソース間の電圧の絶対値が該トランジスタの閾値電圧の絶対値より小さいとき、
前記第１の補助回路（１３０）が、
前記第１の出力ノード（ＮＤ１）及び前記第１の反転出力ノード（ＮＸＤ１）の少なくとも一方を駆動することで、前記第１の駆動トランジスタ（ＮＴＯ１）のゲート電圧を制御し、
前記第２の差動トランジスタ対（ＮＴ３、ＮＴ４）を構成するトランジスタのうち前記入力信号（Ｖｉｎ）がゲートに入力されるトランジスタ（ＮＴ３）のゲート・ソース間電圧の絶対値が該トランジスタの閾値電圧の絶対値より小さいとき、
前記第２の補助回路（１４０）が、
前記第２の出力ノード（ＮＤ２）及び前記第２の反転出力ノード（ＮＸＤ２）の少なくとも一方を駆動することで、前記第２の駆動トランジスタ（ＰＴＯ１）のゲート電圧を制御することを特徴とする演算増幅器。
【請求項２】
入力信号（Ｖｉｎ）及び出力信号（Ｖｏｕｔ）の差分を増幅する第１の導電型差動増幅回路（１００）と、
前記入力信号（Ｖｉｎ）及び前記出力信号（Ｖｏｕｔ）の差分を増幅する第２の導電型差動増幅回路（１１０）と、
前記入力信号（Ｖｉｎ）及び前記出力信号（Ｖｏｕｔ）に基づいて、前記第１の導電型差動増幅回路の第１の出力ノード（ＮＤ１）及び第１の反転出力ノード（ＮＸＤ１）のうち少なくとも一方を駆動する第１の補助回路（１３０）と、
前記入力信号（Ｖｉｎ）及び前記出力信号（Ｖｏｕｔ）に基づいて、前記第２の導電型差動増幅回路の第２の出力ノード（ＮＤ２）及び第２の反転出力ノード（ＮＸＤ２）のうち少なくとも一方を駆動する第２の補助回路（１４０）と、
前記第１及び第２の出力ノード（ＮＤ１、ＮＤ２）の電圧に基づいて前記出力信号（Ｖｏｕｔ）を生成する出力回路（１２０）とを含み、
前記第１の導電型差動増幅回路（１００）が、
一端に第１の電源電圧（ＶＤＤ）が供給される第１の電流源（ＣＳ１）と、
各トランジスタのソースが前記第１の電流源（ＣＳ１）の他端に接続され、各トランジスタのドレインがそれぞれ前記第１の出力ノード（ＮＤ１）及び前記第１の反転出力ノード（ＮＸＤ１）に接続され、前記入力信号（Ｖｉｎ）及び前記出力信号（Ｖｏｕｔ）が各トランジスタのゲートに入力される第１の導電型の第１の差動トランジスタ対（ＰＴ１、ＰＴ２）と、
ゲート同士が互いに接続された第２の導電型の第１のトランジスタ対（ＮＴ１、ＮＴ２）を有する第１のカレントミラー回路（ＣＭ１）とを含み、
前記第１のトランジスタ対（ＮＴ１、ＮＴ２）を構成する各トランジスタのソースに第２の電源電圧（ＶＳＳ）が供給され、該各トランジスタのドレインがそれぞれ前記第１の出力ノード（ＮＤ１）及び前記第１の反転出力ノード（ＮＸＤ１）に接続され、前記第１のトランジスタ対（ＮＴ１、ＮＴ２）を構成するトランジスタのうち前記第１の反転出力ノード（ＮＸＤ１）に接続されるトランジスタ（ＮＴ２）のドレイン及びゲートが接続され、
前記第２の導電型差動増幅回路（１１０）が、
一端に前記第２の電源電圧（ＶＳＳ）が供給される第２の電流源（ＣＳ２）と、
各トランジスタのソースが前記第２の電流源（ＣＳ２）の他端に接続され、各トランジスタのドレインがそれぞれ前記第２の出力ノード（ＮＤ２）及び前記第２の反転出力ノード（ＮＸＤ２）に接続され、前記入力信号（Ｖｉｎ）及び前記出力信号（Ｖｏｕｔ）が各トランジスタのゲートに入力される第２の導電型の第２の差動トランジスタ対（ＮＴ３、ＮＴ４）と、
ゲート同士が互いに接続された第１の導電型の第２のトランジスタ対（ＰＴ３、ＰＴ４）を有する第２のカレントミラー回路（ＣＭ２）とを含み、
前記第２のトランジスタ対を構成する各トランジスタのソースに第１の電源電圧（ＶＤＤ）が供給され、該各トランジスタのドレインがそれぞれ前記第２の出力ノード（ＮＤ２）及び前記第２の反転出力ノード（ＮＸＤ２）に接続され、前記第２のトランジスタ対（ＰＴ３、ＰＴ４）を構成するトランジスタのうち前記第２の反転出力ノード（ＮＸＤ２）に接続されるトランジスタのドレイン及びゲートが接続され、
前記出力回路（１２０）が、
前記第２の出力ノード（ＮＤ２）にそのゲートが接続された第１の導電型の第２の駆動トランジスタ（ＰＴＯ１）と、
前記第１の出力ノード（ＮＤ１）にそのゲートが接続され、前記第２の駆動トランジスタ（ＰＴＯ１）のドレインにそのドレインが接続された第２の導電型の第１の駆動トランジスタ（ＮＴＯ１）とを含み、該ドレインの電圧を前記出力信号（Ｖｏｕｔ）として出力し、
前記第１の差動トランジスタ対（ＰＴ１、ＰＴ２）を構成するトランジスタのうち前記入力信号（Ｖｉｎ）がゲートに入力されるトランジスタ（ＰＴ１）のゲート・ソース間の電圧の絶対値が該トランジスタの閾値電圧の絶対値より小さいとき、
前記第１の補助回路（１３０）が、
前記第１の出力ノード（ＮＤ１）及び前記第１の反転出力ノード（ＮＸＤ１）の少なくとも一方を駆動することで、前記第１の駆動トランジスタ（ＮＴＯ１）のゲート電圧を制御し、
前記第２の差動トランジスタ対（ＮＴ３、ＮＴ４）を構成するトランジスタのうち前記入力信号（Ｖｉｎ）がゲートに入力されるトランジスタ（ＮＴ３）のゲート・ソース間の電圧の絶対値が該トランジスタの閾値電圧の絶対値より小さいとき、
前記第２の補助回路（１４０）が、
前記第２の出力ノード（ＮＤ２）及び前記第２の反転出力ノード（ＮＸＤ２）の少なくとも一方を駆動することで、前記第２の駆動トランジスタ（ＰＴＯ１）のゲート電圧を制御することを特徴とする演算増幅器。
【請求項３】
請求項１又は２において、
前記第１の補助回路が、
各トランジスタのソースに前記第１の電源電圧（ＶＤＤ）が供給され、各トランジスタのドレインがそれぞれ前記第１の出力ノード（ＮＤ１）及び前記第１の反転出力ノード（ＮＸＤ１）に接続された第１の導電型の第１及び第２の電流駆動トランジスタ（ＰＡ１、ＰＡ２）と、
前記入力信号（Ｖｉｎ）及び前記出力信号（Ｖｏｕｔ）に基づいて前記第１及び第２の電流駆動トランジスタ（ＰＡ１、ＰＡ２）のゲート電圧を制御する第１の電流制御回路（１３２）とを含み、
前記第１の差動トランジスタ対（ＰＴ１、ＰＴ２）を構成するトランジスタのうち前記入力信号（Ｖｉｎ）がゲートに入力されるトランジスタ（ＰＴ１）のゲート・ソース間の電圧の絶対値が該トランジスタの閾値電圧の絶対値より小さいとき、
前記第１の電流制御回路（１３２）が、
前記第１の出力ノード（ＮＤ１）及び前記第１の反転出力ノード（ＮＸＤ１）の少なくとも一方を駆動するように前記第１及び第２の電流駆動トランジスタ（ＰＡ１、ＰＡ２）のゲート電圧を制御することを特徴とする演算増幅器。
【請求項４】
請求項１乃至３のいずれかにおいて、
前記第２の補助回路（１４０）が、
各トランジスタのソースに前記第２の電源電圧（ＶＳＳ）が供給され、各トランジスタのドレインがそれぞれ前記第２の出力ノード（ＮＤ２）及び前記第２の反転出力ノード（ＮＸＤ２）に接続された第２の導電型の第３及び第４の電流駆動トランジスタ（ＮＡ３、ＮＡ４）と、
前記入力信号（Ｖｉｎ）及び前記出力信号（Ｖｏｕｔ）に基づいて前記第３及び第４の電流駆動トランジスタ（ＮＡ３、ＮＡ４）のゲート電圧を制御する第２の電流制御回路（１４２）とを含み、
前記第２の差動トランジスタ対（ＮＴ３、ＮＴ４）を構成するトランジスタのうち前記入力信号（Ｖｉｎ）がゲートに入力されるトランジスタ（ＮＴ３）のゲート・ソース間の電圧の絶対値が該トランジスタの閾値電圧の絶対値より小さいとき、
前記第２の電流制御回路（１４２）が、
前記第２の出力ノード（ＮＤ２）及び前記第２の反転出力ノード（ＮＸＤ２）の少なくとも一方を駆動するように前記第３及び第４の電流駆動トランジスタ（ＮＡ３、ＮＡ４）のゲート電圧を制御することを特徴とする演算増幅器。
【請求項５】
請求項３又は４において、
前記第１の電流制御回路（１３２）が、
一端に前記第２の電源電圧（ＶＳＳ）が供給された第３の電流源（ＣＳ３）と、
前記第３の電流源（ＣＳ３）の他端に各トランジスタのソースが接続され、前記入力信号（Ｖｉｎ）及び前記出力信号（Ｖｏｕｔ）が各トランジスタのゲートに入力される第２の導電型の第３の差動トランジスタ対（ＮＳ５、ＮＳ６）と、
各トランジスタのソースに前記第１の電源電圧（ＶＤＤ）が供給され、各トランジスタのドレインがそれぞれ前記第３の差動トランジスタ対（ＮＳ５、ＮＳ６）の各トランジスタのドレインに接続され、各トランジスタのゲート及びドレインが接続された第１の導電型の第５及び第６の電流駆動トランジスタ（ＰＳ５、ＰＳ６）とを含み、
前記第３の差動トランジスタ対を構成するトランジスタのうちそのゲートに前記入力信号（Ｖｉｎ）が入力されるトランジスタ（ＮＳ５）のドレインが前記第２の電流駆動トランジスタ（ＰＡ２）のゲートに接続され、
前記第３の差動トランジスタ対を構成するトランジスタのうちそのゲートに前記出力信号（Ｖｏｕｔ）が入力されるトランジスタ（ＮＳ６）のドレインが前記第１の電流駆動トランジスタ（ＰＡ１）のゲートに接続されることを特徴とする演算増幅器。
【請求項６】
請求項３又は４において、
前記第２の電流制御回路（１４２）が、
一端に前記第１の電源電圧（ＶＤＤ）が供給された第４の電流源（ＣＳ４）と、
前記第４の電流源（ＣＳ４）の他端に各トランジスタのソースが接続され、前記入力信号（Ｖｉｎ）及び前記出力信号（Ｖｏｕｔ）が各トランジスタのゲートに入力される第１の導電型の第４の差動トランジスタ対（ＰＳ７、ＰＳ８）と、
各トランジスタのソースに前記第２の電源電圧（ＶＳＳ）が供給され、各トランジスタのドレインがそれぞれ前記第４の差動トランジスタ対（ＰＳ７、ＰＳ８）の各トランジスタのドレインに接続され、各トランジスタのゲート及びドレインが接続された第２の導電型の第７及び第８の電流駆動トランジスタ（ＮＳ７、ＮＳ８）とを含み、
前記第４の差動トランジスタ対を構成するトランジスタのうちそのゲートに前記入力信号（Ｖｉｎ）が入力されるトランジスタ（ＰＳ７）のドレインが前記第４の電流駆動トランジスタ（ＮＡ４）のゲートに接続され、
前記第４の差動トランジスタ対を構成するトランジスタのうちそのゲートに前記出力信号（Ｖｏｕｔ）が入力されるトランジスタ（ＰＳ８）のドレインが前記第３の電流駆動トランジスタ（ＮＡ３）のゲートに接続されることを特徴とする演算増幅器。
【請求項７】
請求項５において、
前記第２の電流制御回路（１４２）が、
一端に前記第１の電源電圧（ＶＤＤ）が供給された第４の電流源（ＣＳ４）と、
前記第４の電流源（ＣＳ４）の他端に各トランジスタのソースが接続され、前記入力信号（Ｖｉｎ）及び前記出力信号（Ｖｏｕｔ）が各トランジスタのゲートに入力される第１の導電型の第４の差動トランジスタ対（ＰＳ７、ＰＳ８）と、
各トランジスタのソースに前記第２の電源電圧（ＶＳＳ）が供給され、各トランジスタのドレインがそれぞれ前記第４の差動トランジスタ対（ＰＳ７、ＰＳ８）の各トランジスタのドレインに接続され、各トランジスタのゲート及びドレインが接続された第２の導電型の第７及び第８の電流駆動トランジスタ（ＮＳ７、ＮＳ８）とを含み、
前記第４の差動トランジスタ対を構成するトランジスタのうちそのゲートに前記入力信号（Ｖｉｎ）が入力されるトランジスタ（ＰＳ７）のドレインが前記第４の電流駆動トランジスタ（ＮＡ４）のゲートに接続され、
前記第４の差動トランジスタ対を構成するトランジスタのうちそのゲートに前記出力信号（Ｖｏｕｔ）が入力されるトランジスタ（ＰＳ８）のドレインが前記第３の電流駆動トランジスタ（ＮＡ３）のゲートに接続されることを特徴とする演算増幅器。
【請求項８】
請求項７において、
前記第１及び第３の電流源（ＣＳ１、ＣＳ３）の動作時の電流値が等しく、かつ前記第２及び第４の電流源（ＣＳ２、ＣＳ４）の動作時の電流値が等しいことを特徴とする演算増幅器。
【請求項９】
請求項８において、
前記第１〜第４の電流源（ＣＳ１〜ＣＳ４）の各電流源の動作時の電流値が等しいことを特徴とする演算増幅器。
【請求項１０】
請求項７において、
前記第６の電流駆動トランジスタ（ＰＳ６）の電流駆動能力に対する前記第１の電流駆動トランジスタ（ＰＡ１）の電流駆動能力の比、前記第５の電流駆動トランジスタ（ＰＳ５）の電流駆動能力に対する前記第２の電流駆動トランジスタ（ＰＡ２）の電流駆動能力の比、前記第８の電流駆動トランジスタ（ＮＳ８）の電流駆動能力に対する前記第３の電流駆動トランジスタ（ＮＡ３）の電流駆動能力の比、及び前記第７の電流駆動トランジスタ（ＮＳ７）の電流駆動能力に対する前記第４の電流駆動トランジスタ（ＮＡ４）の電流駆動能力の比のうち少なくとも１つが、１より大きいことを特徴とする演算増幅器。
【請求項１１】
複数の走査線と複数のデータ線と走査線及びデータ線により特定される画素電極とを有する電気光学装置を駆動するための駆動回路であって、
データ線ごとに設けられる請求項１乃至１０のいずれか記載の演算増幅器と、
データ線ごとに設けられ、前記演算増幅器への入力信号としてデータ電圧を生成するデータ電圧生成回路とを含むことを特徴とする駆動回路。
【発明の詳細な説明】
【技術分野】
【０００１】
本発明は、演算増幅器及びこれを用いた駆動回路に関する。
【背景技術】
【０００２】
従来より、携帯電話機などの電子機器に用いられる液晶パネル（電気光学装置）として、単純マトリクス方式の液晶パネルと、薄膜トランジスタ（Thin Film Transistor：以下、ＴＦＴと略す）などのスイッチング素子を用いたアクティブマトリクス方式の液晶パネルとが知られている。
【０００３】
単純マトリクス方式は、アクティブマトリクス方式に比べて低消費電力化が容易であるという利点がある反面、多色化や動画表示が難しいという不利点がある。一方、アクティブマトリクス方式は、多色化や動画表示に適しているという利点がある反面、低消費電力化が難しいという不利点がある。
【０００４】
そして、近年、携帯電話機などの携帯型電子機器では、高品質な画像の提供のために、多色化、動画表示への要望が強まっている。このため、これまで用いられてきた単純マトリクス方式の液晶パネルに代えて、アクティブマトリクス方式の液晶パネルが用いられるようになってきた。
【０００５】
さて、アクティブマトリクス方式の液晶パネルでは、液晶パネルのデータ線を駆動するデータ線駆動回路の中に、出力バッファとして機能する演算増幅器（オペアンプ）を設けることが望ましい。
【０００６】
図１３に、公知の演算増幅器の構成を示す。
【０００７】
この演算増幅器では、ｐ型トランジスタＭ７、Ｍ８、ｎ型トランジスタＭ５、Ｍ６、及び電流源ＣＳｂを含むｐ型差動入力回路によりｎ型駆動トランジスタＭ１０を制御する。またｐ型トランジスタＭ１、Ｍ２、ｎ型トランジスタＭ３、Ｍ４、及び電流源ＣＳａを含むｎ型差動入力回路によりｐ型駆動トランジスタＭ９を制御する。
【０００８】
ｎ型差動入力回路に着目して、入力信号Ｖｉｎの電圧が出力信号Ｖｏｕｔの電圧より大きい場合を考える。この場合、ｎ型トランジスタＭ４のインピーダンスがｎ型トランジスタＭ３より大きくなるため、ｐ型トランジスタＭ２、Ｍ１のゲート電圧が上昇し、ｐ型トランジスタＭ１のインピーダンスが大きくなる。そのため、ｐ型駆動トランジスタＭ９のゲート電圧が下降し、ｐ型駆動トランジスタＭ９はオンする方向に向かう。
【０００９】
ｐ型差動入力回路に着目すると、入力信号Ｖｉｎの電圧が出力信号Ｖｏｕｔの電圧より大きい場合、ｐ型トランジスタＭ８のインピーダンスがｐ型トランジスタＭ７のインピーダンスより小さくなるため、ｎ型トランジスタＭ５、Ｍ６のゲート電圧が上昇し、ｎ型トランジスタＭ５のインピーダンスが小さくなる。そのため、ｎ型駆動トランジスタＭ１０のゲート電圧が下降し、ｎ型駆動トランジスタＭ１０がオフする方向に向かう。
【００１０】
このように、入力信号Ｖｉｎの電圧が出力信号Ｖｏｕｔの電圧より大きい場合は、出力信号Ｖｏｕｔの電圧が大きくなる方向にｐ型駆動トランジスタＭ９、ｎ型駆動トランジスタＭ１０が動作する。なお、入力信号Ｖｉｎの電圧が出力信号Ｖｏｕｔの電圧より小さい場合は、上述と逆の動作を行う。以上のような動作の結果、演算増幅器では、入力信号Ｖｉｎの電圧と出力信号Ｖｏｕｔの電圧とがほぼ等しくなる平衡状態に移行していく。
【特許文献１】特開２００３−１５７０５４号公報
【発明の開示】
【発明が解決しようとする課題】
【００１１】
しかしながら、ｐ型差動入力回路では入力信号Ｖｉｎがゲート電圧としてｐ型トランジスタＭ７に供給され、ｎ型差動入力回路では入力信号Ｖｉｎがゲート電圧としてｎ型トランジスタＭ３に供給される。そのため、図１４に示すように、入力信号Ｖｉｎが、高電位側の電源電圧ＶＤＤ〜ＶＤＤ−｜Ｖｔｈｐ｜（Ｖｔｈｐは、ｐ型トランジスタＭ７の閾値電圧）の範囲Ｒ１と、低電位側の電源電圧ＶＳＳ〜ＶＳＳ＋Ｖｔｈｎ（Ｖｔｈｎは、ｎ型トランジスタＭ３の閾値電圧）の範囲Ｒ２では、入力信号Ｖｉｎの電圧と出力信号Ｖｏｕｔの電圧とを等しくできない入力不感帯となる。これは、低電位側の電源電圧ＶＳＳ〜ＶＳＳ＋Ｖｔｈｎの範囲Ｒ２では、ｎ型トランジスタＭ３がオフ状態のままであるためｎ型差動入力回路が動作せず、高電位側の電源電圧ＶＤＤ〜ＶＤＤ−｜Ｖｔｈｐ｜の範囲Ｒ１では、ｐ型トランジスタＭ７がオフ状態のままであるためｐ型差動入力回路が動作しないからである。
【００１２】
例えば液晶表示パネルを、最大５ボルト振幅（ＶｉｎＲ）の階調電圧を６４階調で駆動する場合を考える。この場合、各階調に応じた階調電圧を発生させるために５ボルト振幅を狭くすると階調表現に不都合が生じる。そこで、ｐ型トランジスタの閾値電圧Ｖｔｈｐ及びｎ型トランジスタの閾値電圧Ｖｔｈｎのばらつきを考慮して約１．９ボルトのオフセットを設けて、最大約６．９ボルト振幅（ＶＤＤＲ）の階調電圧を発生させていた。従って、データ線駆動回路の電源系が５ボルトのとき、約６．９ボルト振幅の階調電圧を発生させるために昇圧回路を設ける必要があった。昇圧回路としてチャージポンプ回路を採用する場合、昇圧用トランジスタや昇圧用コンデンサが更に必要となる上に、高電圧を考慮したレイアウトが必要となり、チップ面積の増大、実装上のコスト高、消費電力の増大を招いていた。特に、ロジック用電源としての５ボルト系の製造プロセスでは不十分であるため、７ボルト以上の高耐圧のトランジスタを用いる必要があり、製造プロセスのコスト高も招いていた。
【００１３】
更に、図１３に示す構成の演算増幅器では、入力不感帯の入力信号Ｖｉｎが入力されたとき、ｐ型駆動トランジスタＭ９及びｎ型駆動トランジスタＭ１０を制御できなくなり、貫通電流を抑える制御ができなかった。そのため、回路の安定性が悪くなり、消費電力が増大するという問題があった。
【００１４】
本発明は以上のような技術的課題に鑑みてなされたものであり、その目的とするところは、低コストかつ低消費電力で、駆動能力が高い演算増幅器及びこれを用いた駆動回路を提供することにある。
【課題を解決するための手段】
【００１５】
上記課題を解決するために本発明は、各トランジスタのソースが第１の電流源（ＣＳ１）に接続されると共に、入力信号（Ｖｉｎ）及び出力信号（Ｖｏｕｔ）が各トランジスタのゲートに入力される第１の導電型の第１の差動トランジスタ対（ＰＴ１、ＰＴ２）と、前記第１の差動トランジスタ対の各トランジスタのドレイン電流を生成する第１のカレントミラー回路（ＣＭ１）とを有する第１の導電型差動増幅回路（１００）と、各トランジスタのソースが第２の電流源（ＣＳ２）に接続されると共に、前記入力信号及び前記出力信号が各トランジスタのゲートに入力される第２の導電型の第２の差動トランジスタ対（ＮＴ３、ＮＴ４）と、前記第２の差動トランジスタ対の各トランジスタのドレイン電流を生成する第２のカレントミラー回路（ＣＭ２）とを有する第２の導電型差動増幅回路（１１０）と、前記入力信号（Ｖｉｎ）及び前記出力信号（Ｖｏｕｔ）に基づいて、前記第１の差動トランジスタ対を構成する２つのトランジスタのドレインである第１の出力ノード（ＮＤ１）及び第１の反転出力ノード（ＮＸＤ１）のうち少なくとも一方を駆動する第１の補助回路（１３０）と、前記入力信号（Ｖｉｎ）及び前記出力信号（Ｖｏｕｔ）に基づいて、前記第２の差動トランジスタ対を構成する２つのトランジスタのドレインである第２の出力ノード（ＮＤ２）及び第２の反転出力ノード（ＮＸＤ２）のうち少なくとも一方を駆動する第２の補助回路（１４０）と、前記第１の出力ノード（ＮＤ１）の電圧に基づいてそのゲート電圧が制御される第２の導電型の第１の駆動トランジスタ（ＮＴＯ１）と、そのドレインが前記第１の駆動トランジスタのドレインに接続され前記第２の出力ノード（ＮＤ２）の電圧に基づいてそのゲート電圧が制御される第１の導電型の第２の駆動トランジスタ（ＰＴＯ１）とを有し、前記第１の駆動トランジスタ（ＮＴＯ１）のドレインの電圧を前記出力信号（Ｖｏｕｔ）として出力する出力回路（１２０）とを含み、前記第１の差動トランジスタ対（ＰＴ１、ＰＴ２）を構成するトランジスタのうち前記入力信号（Ｖｉｎ）がゲートに入力されるトランジスタ（ＰＴ１）のゲート・ソース間の電圧の絶対値が該トランジスタの閾値電圧の絶対値より小さいとき、前記第１の補助回路（１３０）が、前記第１の出力ノード（ＮＤ１）及び前記第１の反転出力ノード（ＮＸＤ１）の少なくとも一方を駆動することで、前記第１の駆動トランジスタ（ＮＴＯ１）のゲート電圧を制御し、前記第２の差動トランジスタ対（ＮＴ３、ＮＴ４）を構成するトランジスタのうち前記入力信号（Ｖｉｎ）がゲートに入力されるトランジスタ（ＮＴ３）のゲート・ソース間電圧の絶対値が該トランジスタの閾値電圧の絶対値より小さいとき、前記第２の補助回路（１４０）が、前記第２の出力ノード（ＮＤ２）及び前記第２の反転出力ノード（ＮＸＤ２）の少なくとも一方を駆動することで、前記第２の駆動トランジスタ（ＰＴＯ１）のゲート電圧を制御する演算増幅器に関係する。
【００１６】
本発明では、演算増幅器が、第１の導電型差動増幅回路と第２の導電型差動増幅回路とを含み、入力信号及び出力信号が、それぞれ異なる導電型の差動トランジスタ対に入力される。各差動トランジスタ対を構成するトランジスタが電流源に接続されると共に、各トランジスタのドレイン電流がカレントミラー回路によって生成される。そして出力回路が、各差動増幅回路の出力ノードの電圧に基づいて出力信号を出力する。
【００１７】
第１及び第２の差動トランジスタ対が動作する範囲の入力信号が入力された場合には、第１及び第２の導電型差動増幅回路がそれぞれ入力信号及び出力信号の差動増幅を行って出力回路を構成する第１及び第２の駆動トランジスタのゲート電圧を制御する。
【００１８】
第１の差動トランジスタ対が動作し、かつ第２の差動トランジスタ対が動作しない範囲の入力信号が入力された場合には、第１の導電型差動増幅回路が入力信号及び出力信号の差動増幅を行って出力回路を構成する第１の駆動トランジスタのゲート電圧を制御する。一方、第２の導電型差動増幅回路の各ノードが不定となるため、第２の補助回路が、第２の導電型差動増幅回路の第２の出力ノード及び第２の反転出力ノードの少なくとも一方を駆動することで、第２の駆動トランジスタのゲート電圧を制御する。
【００１９】
第２の差動トランジスタ対が動作せず、かつ第１の差動トランジスタ対が動作する範囲の入力信号が入力された場合には、第２の導電型差動増幅回路が入力信号及び出力信号の差動増幅を行って出力回路を構成する第２の駆動トランジスタのゲート電圧を制御する。一方、第１の導電型差動増幅回路の各ノードが不定となるため、第１の補助回路が、第１の導電型差動増幅回路の第１の出力ノード及び第１の反転出力ノードの少なくとも一方を駆動することで、第１の駆動トランジスタのゲート電圧を制御する。
【００２０】
こうすることで、出力回路を構成する第１及び第２の駆動トランジスタのゲート電圧が制御できるようになり、入力信号が入力不感帯の範囲であることに起因する不要な貫通電流の発生を無くすことができる。そのため、高電位側の電源電圧と低電位側の電源電圧との間の電圧を振幅として、演算増幅器を形成できるようになるので、駆動能力を低下させることなく動作電圧を狭くでき、更に消費電力を削減できるようになる。これは、昇圧回路の実装や製造プロセスの低耐圧化を意味し、低コスト化を実現する。
【００２１】
なお、第１の差動トランジスタ対と第１の電流源との間、第２の差動トランジスタ対と第２の電流源との間、又は第１、第２の駆動トランジスタのドレイン間に、他の素子（例えばスイッチング素子等）を設けてもよい。
【００２２】
また本発明は、入力信号（Ｖｉｎ）及び出力信号（Ｖｏｕｔ）の差分を増幅する第１の導電型差動増幅回路（１００）と、前記入力信号（Ｖｉｎ）及び前記出力信号（Ｖｏｕｔ）の差分を増幅する第２の導電型差動増幅回路（１１０）と、前記入力信号（Ｖｉｎ）及び前記出力信号（Ｖｏｕｔ）に基づいて、前記第１の導電型差動増幅回路の第１の出力ノード（ＮＤ１）及び第１の反転出力ノード（ＮＸＤ１）のうち少なくとも一方を駆動する第１の補助回路（１３０）と、前記入力信号（Ｖｉｎ）及び前記出力信号（Ｖｏｕｔ）に基づいて、前記第２の導電型差動増幅回路の第２の出力ノード（ＮＤ２）及び第２の反転出力ノード（ＮＸＤ２）のうち少なくとも一方を駆動する第２の補助回路（１４０）と、前記第１及び第２の出力ノード（ＮＤ１、ＮＤ２）の電圧に基づいて前記出力信号（Ｖｏｕｔ）を生成する出力回路（１２０）とを含み、前記第１の導電型差動増幅回路（１００）が、一端に第１の電源電圧（ＶＤＤ）が供給される第１の電流源（ＣＳ１）と、各トランジスタのソースが前記第１の電流源（ＣＳ１）の他端に接続され、各トランジスタのドレインがそれぞれ前記第１の出力ノード（ＮＤ１）及び前記第１の反転出力ノード（ＮＸＤ１）に接続され、前記入力信号（Ｖｉｎ）及び前記出力信号（Ｖｏｕｔ）が各トランジスタのゲートに入力される第１の導電型の第１の差動トランジスタ対（ＰＴ１、ＰＴ２）と、ゲート同士が互いに接続された第２の導電型の第１のトランジスタ対（ＮＴ１、ＮＴ２）を有する第１のカレントミラー回路（ＣＭ１）とを含み、前記第１のトランジスタ対（ＮＴ１、ＮＴ２）を構成する各トランジスタのソースに第２の電源電圧（ＶＳＳ）が供給され、該各トランジスタのドレインがそれぞれ前記第１の出力ノード（ＮＤ１）及び前記第１の反転出力ノード（ＮＸＤ１）に接続され、前記第１のトランジスタ対（ＮＴ１、ＮＴ２）を構成するトランジスタのうち前記第１の反転出力ノード（ＮＸＤ１）に接続されるトランジスタ（ＮＴ２）のドレイン及びゲートが接続され、前記第２の導電型差動増幅回路（１１０）が、一端に前記第２の電源電圧（ＶＳＳ）が供給される第２の電流源（ＣＳ２）と、各トランジスタのソースが前記第２の電流源（ＣＳ２）の他端に接続され、各トランジスタのドレインがそれぞれ前記第２の出力ノード（ＮＤ２）及び前記第２の反転出力ノード（ＮＸＤ２）に接続され、前記入力信号（Ｖｉｎ）及び前記出力信号（Ｖｏｕｔ）が各トランジスタのゲートに入力される第２の導電型の第２の差動トランジスタ対（ＮＴ３、ＮＴ４）と、ゲート同士が互いに接続された第１の導電型の第２のトランジスタ対（ＰＴ３、ＰＴ４）を有する第２のカレントミラー回路（ＣＭ２）とを含み、前記第２のトランジスタ対を構成する各トランジスタのソースに第１の電源電圧（ＶＤＤ）が供給され、該各トランジスタのドレインがそれぞれ前記第２の出力ノード（ＮＤ２）及び前記第２の反転出力ノード（ＮＸＤ２）に接続され、前記第２のトランジスタ対（ＰＴ３、ＰＴ４）を構成するトランジスタのうち前記第２の反転出力ノード（ＮＸＤ２）に接続されるトランジスタのドレイン及びゲートが接続され、前記出力回路（１２０）が、前記第２の出力ノード（ＮＤ２）にそのゲートが接続された第１の導電型の第２の駆動トランジスタ（ＰＴＯ１）と、前記第１の出力ノード（ＮＤ１）にそのゲートが接続され、前記第２の駆動トランジスタ（ＰＴＯ１）のドレインにそのドレインが接続された第２の導電型の第１の駆動トランジスタ（ＮＴＯ１）とを含み、該ドレインの電圧を前記出力信号（Ｖｏｕｔ）として出力し、前記第１の差動トランジスタ対（ＰＴ１、ＰＴ２）を構成するトランジスタのうち前記入力信号（Ｖｉｎ）がゲートに入力されるトランジスタ（ＰＴ１）のゲート・ソース間の電圧の絶対値が該トランジスタの閾値電圧の絶対値より小さいとき、前記第１の補助回路（１３０）が、前記第１の出力ノード（ＮＤ１）及び前記第１の反転出力ノード（ＮＸＤ１）の少なくとも一方を駆動することで、前記第１の駆動トランジスタ（ＮＴＯ１）のゲート電圧を制御し、前記第２の差動トランジスタ対（ＮＴ３、ＮＴ４）を構成するトランジスタのうち前記入力信号（Ｖｉｎ）がゲートに入力されるトランジスタ（ＮＴ３）のゲート・ソース間の電圧の絶対値が該トランジスタの閾値電圧の絶対値より小さいとき、前記第２の補助回路（１４０）が、前記第２の出力ノード（ＮＤ２）及び前記第２の反転出力ノード（ＮＸＤ２）の少なくとも一方を駆動することで、前記第２の駆動トランジスタ（ＰＴＯ１）のゲート電圧を制御する演算増幅器に関係する。
【００２３】
本発明においては、第１及び第２の差動トランジスタ対が動作する範囲の入力信号が入力された場合には、第１及び第２の導電型差動増幅回路がそれぞれ入力信号及び出力信号の差動増幅を行って出力回路を構成する第１及び第２の駆動トランジスタのゲート電圧を制御する。
【００２４】
第１の差動トランジスタ対が動作し、かつ第２の差動トランジスタ対が動作しない範囲の入力信号が入力された場合には、第１の導電型差動増幅回路が入力信号及び出力信号の差動増幅を行って出力回路を構成する第１の駆動トランジスタのゲート電圧を制御する。一方、第２の導電型差動増幅回路の各ノードが不定となるため、第２の補助回路が、第２の導電型差動増幅回路の第２の出力ノード及び第２の反転出力ノードの少なくとも一方を駆動することで、第２の駆動トランジスタのゲート電圧を制御する。
【００２５】
第２の差動トランジスタ対が動作し、かつ第１の差動トランジスタ対が動作しない範囲の入力信号が入力された場合には、第２の導電型差動増幅回路が入力信号及び出力信号の差動増幅を行って出力回路を構成する第２の駆動トランジスタのゲート電圧を制御する。一方、第１の導電型差動増幅回路の各ノードが不定となるため、第１の補助回路が、第１の導電型差動増幅回路の第１の出力ノード及び第１の反転出力ノードの少なくとも一方を駆動することで、第１の駆動トランジスタのゲート電圧を制御する。
【００２６】
こうすることで、出力回路を構成する第１及び第２の駆動トランジスタのゲート電圧が制御できるようになり、入力信号が入力不感帯の範囲であることに起因する不要な貫通電流の発生を無くすことができる。そのため、高電位側の電源電圧と低電位側の電源電圧との間の電圧を振幅として、演算増幅器を形成できるようになるので、駆動能力を低下させることなく動作電圧を狭くでき、更に消費電力を削減できるようになる。これは、昇圧回路の実装や製造プロセスの低耐圧化を意味し、低コスト化を実現する。
【００２７】
なお、第１の差動トランジスタ対と第１の電流源との間、第１の差動トランジスタ対の各トランジスタのドレインと第１の出力ノード又は第１の反転出力ノードとの間、第２の差動トランジスタ対と第２の電流源との間、第２の差動トランジスタ対の各トランジスタのドレインと第２の出力ノード又は第２の反転出力ノードとの間、第１、第２の駆動トランジスタのドレイン間、第１の出力ノードと第１の駆動トランジスタのゲートとの間、第２の出力ノードと第２の駆動トランジスタのゲートとの間に、他の素子（例えばスイッチング素子等）を設けてもよい。
【００２８】
また本発明に係る演算増幅器では、前記第１の補助回路が、各トランジスタのソースに前記第１の電源電圧（ＶＤＤ）が供給され、各トランジスタのドレインがそれぞれ前記第１の出力ノード（ＮＤ１）及び前記第１の反転出力ノード（ＮＸＤ１）に接続された第１の導電型の第１及び第２の電流駆動トランジスタ（ＰＡ１、ＰＡ２）と、前記入力信号（Ｖｉｎ）及び前記出力信号（Ｖｏｕｔ）に基づいて前記第１及び第２の電流駆動トランジスタ（ＰＡ１、ＰＡ２）のゲート電圧を制御する第１の電流制御回路（１３２）とを含み、前記第１の差動トランジスタ対（ＰＴ１、ＰＴ２）を構成するトランジスタのうち前記入力信号（Ｖｉｎ）がゲートに入力されるトランジスタ（ＰＴ１）のゲート・ソース間の電圧の絶対値が該トランジスタの閾値電圧の絶対値より小さいとき、前記第１の電流制御回路（１３２）が、前記第１の出力ノード（ＮＤ１）及び前記第１の反転出力ノード（ＮＸＤ１）の少なくとも一方を駆動するように前記第１及び第２の電流駆動トランジスタ（ＰＡ１、ＰＡ２）のゲート電圧を制御することができる。
【００２９】
本発明によれば、第１及び第２の電流駆動トランジスタのゲート電圧を制御することで、簡素な構成で、第１の出力ノード又は第１の反転出力ノードを駆動できるようになる。その結果、簡素な構成で、第１の駆動トランジスタのゲート電圧を制御できるようになる。
【００３０】
なお第１又は第２の電流駆動トランジスタのドレインと第１の出力ノード又は第１の反転出力ノードとの間に、他の素子（例えばスイッチング素子等）を設けてもよい。
【００３１】
また本発明に係る演算増幅器では、前記第２の補助回路（１４０）が、各トランジスタのソースに前記第２の電源電圧（ＶＳＳ）が供給され、各トランジスタのドレインがそれぞれ前記第２の出力ノード（ＮＤ２）及び前記第２の反転出力ノード（ＮＸＤ２）に接続された第２の導電型の第３及び第４の電流駆動トランジスタ（ＮＡ３、ＮＡ４）と、前記入力信号（Ｖｉｎ）及び前記出力信号（Ｖｏｕｔ）に基づいて前記第３及び第４の電流駆動トランジスタ（ＮＡ３、ＮＡ４）のゲート電圧を制御する第２の電流制御回路（１４２）とを含み、前記第２の差動トランジスタ対（ＮＴ３、ＮＴ４）を構成するトランジスタのうち前記入力信号（Ｖｉｎ）がゲートに入力されるトランジスタ（ＮＴ３）のゲート・ソース間の電圧の絶対値が該トランジスタの閾値電圧の絶対値より小さいとき、前記第２の電流制御回路（１４２）が、前記第２の出力ノード（ＮＤ２）及び前記第２の反転出力ノード（ＮＸＤ２）の少なくとも一方を駆動するように前記第３及び第４の電流駆動トランジスタ（ＮＡ３、ＮＡ４）のゲート電圧を制御することができる。
【００３２】
本発明によれば、第３及び第４の電流駆動トランジスタのゲート電圧を制御することで、簡素な構成で、第２の出力ノード又は第２の反転出力ノードを駆動できるようになる。その結果、簡素な構成で、第２の駆動トランジスタのゲート電圧を制御できるようになる。
【００３３】
なお第３又は第４の電流駆動トランジスタのドレインと第２の出力ノード又は第２の反転出力ノードとの間に、他の素子（例えばスイッチング素子等）を設けてもよい。
【００３４】
また本発明に係る演算増幅器では、前記第１の電流制御回路（１３２）が、一端に前記第２の電源電圧（ＶＳＳ）が供給された第３の電流源（ＣＳ３）と、前記第３の電流源（ＣＳ３）の他端に各トランジスタのソースが接続され、前記入力信号（Ｖｉｎ）及び前記出力信号（Ｖｏｕｔ）が各トランジスタのゲートに入力される第２の導電型の第３の差動トランジスタ対（ＮＳ５、ＮＳ６）と、各トランジスタのソースに前記第１の電源電圧（ＶＤＤ）が供給され、各トランジスタのドレインがそれぞれ前記第３の差動トランジスタ対（ＮＳ５、ＮＳ６）の各トランジスタのドレインに接続され、各トランジスタのゲート及びドレインが接続された第１の導電型の第５及び第６の電流駆動トランジスタ（ＰＳ５、ＰＳ６）とを含み、前記第３の差動トランジスタ対を構成するトランジスタのうちそのゲートに前記入力信号（Ｖｉｎ）が入力されるトランジスタ（ＮＳ５）のドレインが前記第２の電流駆動トランジスタ（ＰＡ２）のゲートに接続され、前記第３の差動トランジスタ対を構成するトランジスタのうちそのゲートに前記出力信号（Ｖｏｕｔ）が入力されるトランジスタ（ＮＳ６）のドレインが前記第１の電流駆動トランジスタ（ＰＡ１）のゲートに接続されてもよい。
【００３５】
本発明によれば、第１の差動トランジスタ対が動作しない範囲の入力信号が入力された場合に、第１の電流制御回路で制御される第１及び第２の電流駆動トランジスタにより、簡素な構成で、第１の出力ノード及び第１の反転出力ノードを補助的に駆動できるようになる。
【００３６】
なお、第３の差動トランジスタ対を構成する各トランジスタのソースと第３の電流源との間、第３の差動トランジスタ対を構成する各トランジスタのドレインと第５又は第６の電流駆動トランジスタのドレインとの間、又は第３の差動トランジスタ対を構成するトランジスタのうちそのゲートに入力信号が入力されるトランジスタのドレインと第２の電流駆動トランジスタのゲートとの間、又は第３の差動トランジスタ対を構成するトランジスタのうちそのゲートに出力信号が入力されるトランジスタのドレインと第１の電流駆動トランジスタのゲートとの間に、他の素子（例えばスイッチング素子等）を設けてもよい。
【００３７】
また本発明に係る演算増幅器では、前記第２の電流制御回路（１４２）が、一端に前記第１の電源電圧（ＶＤＤ）が供給された第４の電流源（ＣＳ４）と、前記第４の電流源（ＣＳ４）の他端に各トランジスタのソースが接続され、前記入力信号（Ｖｉｎ）及び前記出力信号（Ｖｏｕｔ）が各トランジスタのゲートに入力される第１の導電型の第４の差動トランジスタ対（ＰＳ７、ＰＳ８）と、各トランジスタのソースに前記第２の電源電圧（ＶＳＳ）が供給され、各トランジスタのドレインがそれぞれ前記第４の差動トランジスタ対（ＰＳ７、ＰＳ８）の各トランジスタのドレインに接続され、各トランジスタのゲート及びドレインが接続された第２の導電型の第７及び第８の電流駆動トランジスタ（ＮＳ７、ＮＳ８）とを含み、前記第４の差動トランジスタ対を構成するトランジスタのうちそのゲートに前記入力信号（Ｖｉｎ）が入力されるトランジスタ（ＰＳ７）のドレインが前記第４の電流駆動トランジスタ（ＮＡ４）のゲートに接続され、前記第４の差動トランジスタ対を構成するトランジスタのうちそのゲートに前記出力信号（Ｖｏｕｔ）が入力されるトランジスタ（ＰＳ８）のドレインが前記第３の電流駆動トランジスタ（ＮＡ３）のゲートに接続されてもよい。
【００３８】
本発明によれば、第２の差動トランジスタ対が動作しない範囲の入力信号が入力された場合に、第２の電流制御回路で制御される第３及び第４の電流駆動トランジスタにより、簡素な構成で、第２の出力ノード及び第２の反転出力ノードを補助的に駆動できるようになる。
【００３９】
なお、第４の差動トランジスタ対を構成する各トランジスタのソースと第４の電流源との間、第４の差動トランジスタ対を構成する各トランジスタのドレインと第７又は第８の電流駆動トランジスタのドレインとの間、又は第４の差動トランジスタ対を構成するトランジスタのうちそのゲートに入力信号が入力されるトランジスタのドレインと第７の電流駆動トランジスタのゲートとの間、又は第４の差動トランジスタ対を構成するトランジスタのうちそのゲートに出力信号が入力されるトランジスタのドレインと第８の電流駆動トランジスタのゲートとの間に、他の素子（例えばスイッチング素子等）を設けてもよい。
【００４０】
また本発明に係る演算増幅器では、前記第１及び第３の電流源（ＣＳ１、ＣＳ３）の動作時の電流値が等しく、かつ前記第２及び第４の電流源（ＣＳ２、ＣＳ４）の動作時の電流値が等しくてもよい。
【００４１】
本発明によれば、第１及び第２の駆動トランジスタのドレイン電流のバランスを維持できるようになるので、出力信号の立ち上がり又は立ち下がりを揃えることができ、その結果、出力を安定化させて発振しにくくすることができるようになる。
【００４２】
また本発明に係る演算増幅器では、前記第１〜第４の電流源（ＣＳ１〜ＣＳ４）の各電流源の動作時の電流値が等しくてもよい。
【００４３】
また本発明に係る演算増幅器では、前記第６の電流駆動トランジスタ（ＰＳ６）の電流駆動能力に対する前記第１の電流駆動トランジスタ（ＰＡ１）の電流駆動能力の比、前記第５の電流駆動トランジスタ（ＰＳ５）の電流駆動能力に対する前記第２の電流駆動トランジスタ（ＰＡ２）の電流駆動能力の比、前記第８の電流駆動トランジスタ（ＮＳ８）の電流駆動能力に対する前記第３の電流駆動トランジスタ（ＮＡ３）の電流駆動能力の比、及び前記第７の電流駆動トランジスタ（ＮＳ７）の電流駆動能力に対する前記第４の電流駆動トランジスタ（ＮＡ４）の電流駆動能力の比のうち少なくとも１つが、１より大きくてもよい。
【００４４】
本発明によれば、第１及び第２の補助回路の電流源の電流値を低減し、より低消費電力化を図ることができる。
【００４５】
また本発明は、複数の走査線と複数のデータ線と走査線及びデータ線により特定される画素電極とを有する電気光学装置を駆動するための駆動回路であって、データ線ごとに設けられる上記のいずれか記載の演算増幅器と、データ線ごとに設けられ、前記演算増幅器への入力信号としてデータ電圧を生成するデータ電圧生成回路とを含む駆動回路に関係する。
【００４６】
本発明によれば、駆動能力を低下させることなく、低コストで低消費電力化を実現する駆動回路を提供できる。
【発明を実施するための最良の形態】
【００４７】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００４８】
１．  液晶装置
図１に本実施形態の演算増幅器を適用した液晶装置のブロック図の例を示す。
【００４９】
この液晶装置５１０（広義には表示装置）は、表示パネル５１２（狭義にはＬＣＤ（Liquid Crystal Display）パネル）、データ線駆動回路５２０（狭義にはソースドライバ）、走査線駆動回路５３０（狭義にはゲートドライバ）、コントローラ５４０、電源回路５４２を含む。なお、液晶装置５１０にこれらのすべての回路ブロックを含める必要はなく、その一部の回路ブロックを省略する構成にしてもよい。
【００５０】
ここで表示パネル５１２（広義には電気光学装置）は、複数の走査線（狭義にはゲート線）と、複数のデータ線（狭義にはソース線と）と、走査線及びデータ線により特定される画素電極を含む。この場合、データ線に薄膜トランジスタＴＦＴ（Thin Film Transistor、広義にはスイッチング素子）を接続し、このＴＦＴに画素電極を接続することで、アクティブマトリクス型の液晶装置を構成できる。
【００５１】
より具体的には、表示パネル５１２はアクティブマトリクス基板（例えばガラス基板）に形成される。このアクティブマトリクス基板には、図１のＹ方向に複数配列されそれぞれＸ方向に伸びる走査線Ｇ1〜ＧM（Ｍは２以上の自然数）と、Ｘ方向に複数配列されそれぞれＹ方向に伸びるデータ線Ｓ1〜ＳN（Ｎは２以上の自然数）とが配置されている。また、走査線ＧK（１≦Ｋ≦Ｍ、Ｋは自然数）とデータ線ＳL（１≦Ｌ≦Ｎ、Ｌは自然数）との交差点に対応する位置に、薄膜トランジスタＴＦＴKL（広義にはスイッチング素子）が設けられている。
【００５２】
ＴＦＴKLのゲート電極は走査線ＧKに接続され、ＴＦＴKLのソース電極はデータ線ＳLに接続され、ＴＦＴKLのドレイン電極は画素電極ＰＥKLに接続されている。この画素電極ＰＥKLと、画素電極ＰＥKLと液晶素子（広義には電気光学物質）を挟んで対向する対向電極ＶＣＯＭ（コモン電極）との間には、液晶容量ＣＬKL（液晶素子）及び補助容量ＣＳKLが形成されている。そして、ＴＦＴKL、画素電極ＰＥKL等が形成されるアクティブマトリクス基板と、対向電極ＶＣＯＭが形成される対向基板との間に液晶が封入され、画素電極ＰＥKLと対向電極ＶＣＯＭの間の印加電圧に応じて画素の透過率が変化するようになっている。
【００５３】
なお、対向電極ＶＣＯＭに与えられる電圧は、電源回路５４２により生成される。また、対向電極ＶＣＯＭを対向基板上に一面に形成せずに、各走査線に対応するように帯状に形成してもよい。
【００５４】
データ線駆動回路５２０は、画像データに基づいて表示パネル５１２のデータ線Ｓ1〜ＳNを駆動する。一方、走査線駆動回路５３０は、表示パネル５１２の走査線Ｇ1〜ＧMを順次走査駆動する。
【００５５】
コントローラ５４０は、図示しない中央処理装置（Central Processing Unit：ＣＰＵ）等のホストにより設定された内容に従って、データ線駆動回路５２０、走査線駆動回路５３０及び電源回路５４２を制御する。
【００５６】
より具体的には、コントローラ５４０は、データ線駆動回路５２０及び走査線駆動回路５３０に対しては、例えば動作モードの設定や内部で生成した垂直同期信号や水平同期信号の供給を行い、電源回路５４２に対しては、対向電極ＶＣＯＭの電圧の極性反転タイミングの制御を行う。
【００５７】
電源回路５４２は、外部から供給される基準電圧に基づいて、表示パネル５１２の駆動に必要な各種の電圧（階調電圧）や、対向電極ＶＣＯＭの電圧を生成する。
【００５８】
なお、図１では、液晶装置５１０がコントローラ５４０を含む構成になっているが、コントローラ５４０を液晶装置５１０の外部に設けてもよい。或いは、コントローラ５４０と共にホストを液晶装置５１０に含めるようにしてもよい。また、データ線駆動回路５２０、走査線駆動回路５３０、コントローラ５４０、電源回路５４２の一部又は全部を表示パネル５１２上に形成してもよい。
【００５９】
１．１  データ線駆動回路
図２に、図１のデータ線駆動回路５２０の構成例を示す。
【００６０】
データ線駆動回路５２０（広義には、駆動回路）は、シフトレジスタ５２２、データラッチ５２４、ラインラッチ５２６、ＤＡＣ５２８（デジタル・アナログ変換回路。広義にはデータ電圧生成回路）、出力バッファ５２９（演算増幅器）を含む。
【００６１】
シフトレジスタ５２２は、各データ線に対応して設けられ、順次接続された複数のフリップフロップを含む。このシフトレジスタ５２２は、クロック信号ＣＬＫに同期してイネーブル入出力信号ＥＩＯを保持すると、順次クロック信号ＣＬＫに同期して隣接するフリップフロップにイネーブル入出力信号ＥＩＯをシフトする。
【００６２】
データラッチ５２４には、コントローラ５４０から例えば１８ビット（６ビット（階調データ）×３（ＲＧＢ各色））単位で画像データ（ＤＩＯ）が入力される。データラッチ５２４は、この画像データ（ＤＩＯ）を、シフトレジスタ５２２の各フリップフロップで順次シフトされたイネーブル入出力信号ＥＩＯに同期してラッチする。
【００６３】
ラインラッチ５２６は、コントローラ５４０から供給される水平同期信号ＬＰに同期して、データラッチ５２４でラッチされた１水平走査単位の画像データをラッチする。
【００６４】
ＤＡＣ５２８は、各データ線に供給すべきアナログのデータ電圧を生成する。具体的にはＤＡＣ５２８は、ラインラッチ５２６からのデジタルの画像データに基づいて、図１の電源回路５４２からの階調電圧のいずれかを選択し、デジタルの画像データに対応するアナログのデータ電圧を出力する。
【００６５】
出力バッファ５２９は、ＤＡＣ５２８からのデータ電圧をバッファリングしてデータ線に出力し、データ線を駆動する。具体的には、出力バッファ５２９は、各データ線毎に設けられたボルテージフォロワ接続の演算増幅器ＯＰＣ1〜ＯＰＣNを含み、これらの各演算増幅器ＯＰＣ1〜ＯＰＣNが、ＤＡＣ５２８からのデータ電圧をインピーダンス変換して、各データ線に出力する。
【００６６】
なお、図２では、デジタルの画像データをデジタル・アナログ変換して、出力バッファ５２９を介してデータ線に出力する構成にしているが、アナログの映像信号をサンプル・ホールドして、出力バッファ５２９を介してデータ線に出力する構成にしてもよい。
【００６７】
１．２  走査線駆動回路
図３に、図１の走査線駆動回路５３０の構成例を示す。
【００６８】
走査線駆動回路５３０は、シフトレジスタ５３２、レベルシフタ５３４、出力バッファ５３６を含む。
【００６９】
シフトレジスタ５３２は、各走査線に対応して設けられ、順次接続された複数のフリップフロップを含む。このシフトレジスタ５３２は、クロック信号ＣＬＫに同期してイネーブル入出力信号ＥＩＯをフリップフロップに保持すると、順次クロック信号ＣＬＫに同期して隣接するフリップフロップにイネーブル入出力信号ＥＩＯをシフトする。ここで入力されるイネーブル入出力信号ＥＩＯは、コントローラ５４０から供給される垂直同期信号である。
【００７０】
レベルシフタ５３４は、シフトレジスタ５３２からの電圧のレベルを、表示パネル５１２の液晶素子とＴＦＴのトランジスタ能力とに応じた電圧のレベルにシフトする。この電圧レベルとしては、例えば２０Ｖ〜５０Ｖの高い電圧レベルが必要になる。
【００７１】
出力バッファ５３６は、レベルシフタ５３４によってシフトされた走査電圧をバッファリングして走査線に出力し、走査線を駆動する。
【００７２】
２．演算増幅器
近年、表示画像の高精細化や表示パネルのサイズの拡大によって、表示パネルのデータ線の数が増加する傾向にある。表示パネルのデータ線の数が増加すると、隣接するデータ線間の距離が小さくなって配線容量が増えていく。従って、所定の時間内にデータ線を駆動するためには、駆動能力の高い演算増幅器を用いることが求められる。
【００７３】
ところが、演算増幅器の消費電力は大きく、上述のようにデータ線ごとに出力バッファとして演算増幅器が設けられる。そのため、駆動能力を低下させることなく、低消費電力化を実現する演算増幅器を提供することが求められる。
【００７４】
図１３に示す演算増幅器は入力不感帯を有するため、約７ボルト振幅で動作させる必要がある上に、不感帯領域に入力電圧が入ると、貫通電流を抑える制御が不可能であり、低消費電力化を図ることができない。これに対し、本実施形態における演算増幅器は、以下に述べる構成を採用することで、入力不感帯をなくし、かつ貫通電流を確実に抑えるため大幅な低消費電力化を図ることができる。
【００７５】
図４に、本実施形態における演算増幅器の構成例を示す。
【００７６】
この演算増幅器は、ｐ型（例えば第１の導電型）差動増幅回路１００と、ｎ型（例えば第２の導電型）差動増幅回路１１０と、出力回路１２０とを含む。ｐ型差動増幅回路１００、ｎ型差動増幅回路１１０、及び出力回路１２０は、高電位側の電源電圧ＶＤＤ（広義には第１の電源電圧）と低電位側の電源電圧ＶＳＳ（広義には第２の電源電圧）との間の電圧を動作電圧とする。
【００７７】
ｐ型差動増幅回路１００は、入力信号Ｖｉｎ及び出力信号Ｖｏｕｔの差分を増幅する。ｐ型差動増幅回路１００は、出力ノードＮＤ１（第１の出力ノード）及び反転出力ノードＮＸＤ１（第１の反転出力ノード）を有し、出力ノードＮＤ１及び反転出力ノードＮＸＤ１の間に入力信号Ｖｉｎ及び出力信号Ｖｏｕｔの差分に対応した電圧を出力する。
【００７８】
このｐ型差動増幅回路１００は、第１のカレントミラー回路ＣＭ１と、ｐ型（第１の導電型）の第１の差動トランジスタ対を有する。第１の差動トランジスタ対は、ｐ型金属酸化膜半導体（Metal Oxide Semiconductor：以下ＭＯＳと略す）トランジスタ（以下、ＭＯＳトランジスタを単にトランジスタと略す）ＰＴ１、ＰＴ２を含む。ｐ型トランジスタＰＴ１、ＰＴ２の各トランジスタのソースが第１の電流源ＣＳ１に接続されると共に、入力信号Ｖｉｎ及び出力信号Ｖｏｕｔが各トランジスタのゲートに入力される。ｐ型トランジスタＰＴ１、ＰＴ２のドレイン電流は、第１のカレントミラー回路ＣＭ１によって生成される。ｐ型トランジスタＰＴ１のゲートに入力信号Ｖｉｎが入力される。ｐ型トランジスタＰＴ２のゲートに出力信号Ｖｏｕｔが入力される。ｐ型トランジスタＰＴ１のドレインが、出力ノードＮＤ１（第１の出力ノード）になる。ｐ型トランジスタＰＴ２のドレインが、反転出力ノードＮＸＤ１（第１の反転出力ノード）になる。
【００７９】
ｎ型差動増幅回路１１０は、入力信号Ｖｉｎ及び出力信号Ｖｏｕｔの差分を増幅する。ｎ型差動増幅回路１１０は、出力ノードＮＤ２（第２の出力ノード）及び反転出力ノードＮＸＤ２（第２の反転出力ノード）を有し、出力ノードＮＤ２及び反転出力ノードＮＸＤ２の間に入力信号Ｖｉｎ及び出力信号Ｖｏｕｔの差分に対応した電圧を出力する。
【００８０】
このｎ型差動増幅回路１１０は、第２のカレントミラー回路ＣＭ２と、ｎ型（第２の導電型）の第２の差動トランジスタ対を含む。第２の差動トランジスタ対は、ｎ型トランジスタＮＴ３、ＮＴ４を含む。ｎ型トランジスタＮＴ３、ＮＴ４の各トランジスタのソースが第２の電流源ＣＳ２に接続されると共に、入力信号Ｖｉｎ及び出力信号Ｖｏｕｔが各トランジスタのゲートに入力される。ｎ型トランジスタＮＴ３、ＮＴ４のドレイン電流は、第２のカレントミラー回路ＣＭ２によって生成される。ｎ型トランジスタＮＴ３のゲートに入力信号Ｖｉｎが入力される。ｎ型トランジスタＮＴ４のゲートに出力信号Ｖｏｕｔが入力される。ｎ型トランジスタＮＴ３のドレインが、出力ノードＮＤ２（第２の出力ノード）になる。ｎ型トランジスタＮＴ４のドレインが、反転出力ノードＮＸＤ２（第２の反転出力ノード）になる。
【００８１】
出力回路１２０は、ｐ型差動増幅回路１００の出力ノードＮＤ１（第１の出力ノード）の電圧とｎ型差動増幅回路１１０の出力ノードＮＤ２（第２の出力ノード）の電圧とに基づいて、出力信号Ｖｏｕｔを生成する。
【００８２】
この出力回路１２０は、ｎ型（第２の導電型）の第１の駆動トランジスタＮＴＯ１とｐ型（第１の導電型）の第２の駆動トランジスタＰＴＯ１とを含む。第１の駆動トランジスタＮＴＯ１のゲート（電圧）は、ｐ型差動増幅回路１００の出力ノードＮＤ１（第１の出力ノード）の電圧に基づいて制御される。第２の駆動トランジスタＰＴＯ１のゲート（電圧）は、ｎ型差動増幅回路１１０の出力ノード（ＮＤ２）（第２の出力ノード）の電圧に基づいて制御される。第２の駆動トランジスタＰＴＯ１のドレインは、第１の駆動トランジスタＮＴＯ１のドレインに接続される。そして出力回路１２０は、第１の駆動トランジスタＮＴＯ１のドレインの電圧（第２の駆動トランジスタＰＴＯ１のドレインの電圧）を、出力信号Ｖｏｕｔとして出力する。
【００８３】
更に本実施形態における演算増幅器は、第１及び第２の補助回路１３０、１４０を含むことで、入力不感帯をなくし、かつ貫通電流を抑える。この結果、動作電圧の範囲を不要に広げることなく、貫通電流を抑えて低消費電力化を実現する。
【００８４】
ここで、第１の補助回路１３０は、入力信号Ｖｉｎ及び出力信号Ｖｏｕｔに基づいて、ｐ型差動増幅回路１００の出力ノードＮＤ１（第１の出力ノード）及び反転出力ノードＮＸＤ１（第１の反転出力ノード）のうち少なくとも一方を駆動する。また第２の補助回路１３０は、入力信号Ｖｉｎ及び出力信号Ｖｏｕｔに基づいて、ｎ型差動増幅回路１１０の出力ノードＮＤ２（第２の出力ノード）及び第２の反転出力ノード（ＮＸＤ２）のうち少なくとも一方を駆動する。
【００８５】
そして、ｐ型トランジスタＰＴ１（第１の差動トランジスタ対を構成するトランジスタのうち入力信号Ｖｉｎがゲートに入力されるトランジスタ）のゲート・ソース間（ゲートとソースとの間）の電圧の絶対値がｐ型トランジスタＰＴ１の閾値電圧の絶対値より小さいとき、第１の補助回路１３０が、出力ノードＮＤ１（第１の出力ノード）及び反転出力ノードＮＸＤ１（第１の反転出力ノード）の少なくとも一方を駆動することで、第１の駆動トランジスタＮＴＯ１のゲート電圧を制御する。
【００８６】
更に、ｎ型トランジスタＮＴ３（第２の差動トランジスタ対を構成するトランジスタのうち入力信号Ｖｉｎがゲートに入力されるトランジスタ）のゲート・ソース間の電圧の絶対値がｎ型トランジスタＮＴ３の閾値電圧の絶対値より小さいとき、第２の補助回路１４０が、出力ノードＮＤ２（第２の出力ノード）及び反転出力ノードＮＸＤ２（第２の反転出力ノード）の少なくとも一方を駆動することで、第２の駆動トランジスタＰＴＯ１のゲート電圧を制御する。
【００８７】
図５に、図４に示す演算増幅器の動作説明図を示す。
【００８８】
ここで、高電位側の電源電圧をＶＤＤ、低電位側の電源電圧をＶＳＳ、入力信号の電圧をＶｉｎ、ｐ型トランジスタＰＴ１の閾値電圧をＶｔｈｐ、ｎ型トランジスタＮＴ３の閾値電圧Ｖｔｈｎとする。
【００８９】
ＶＤＤ≧Ｖｉｎ＞ＶＤＤ−｜Ｖｔｈｐ｜では、ｐ型トランジスタがオフ、ｎ型トランジスタがオンとなる。ここでｐ型トランジスタがゲート電圧に応じてカットオフ領域、線形領域、又は飽和領域で動作する場合、ｐ型トランジスタがオフとは、カットオフ領域であることを意味する。同様にｎ型トランジスタがゲート電圧に応じてカットオフ領域、線形領域、又は飽和領域で動作する場合、ｎ型トランジスタがオンとは、線形領域又は飽和領域であることを意味する。従って、ＶＤＤ≧Ｖｉｎ＞ＶＤＤ−｜Ｖｔｈｐ｜では、ｐ型差動増幅回路１００は動作せず（オフ）、ｎ型差動増幅回路１１０は動作する（オン）。そこで第１の補助回路１３０の動作をオン（出力ノードＮＤ１（第１の出力ノード）及び反転出力ノードＮＸＤ１（第１の反転出力ノード）の少なくとも一方を駆動させ）し、第２の補助回路１４０の動作をオフ（出力ノードＮＤ２（第２の出力ノード）及び反転出力ノードＮＸＤ１（第２の反転出力ノード）を駆動させない）する。このように、ｐ型差動増幅回路１００が動作しない範囲で、第１の補助回路１３０によりｐ型差動増幅回路１００の出力ノードＮＤ１（反転出力ノードＮＸＤ１）を駆動することで、ｐ型差動増幅回路１００の第１の差動トランジスタ対の入力不感帯の範囲の入力信号Ｖｉｎに対しても、出力ノードＮＤ１の電圧を不定状態にすることがなくなる。
【００９０】
ＶＤＤ−｜Ｖｔｈｐ｜≧Ｖｉｎ≧Ｖｔｈｎ＋ＶＳＳでは、ｐ型トランジスタがオン、ｎ型トランジスタがオンとなる。ここでｐ型トランジスタがゲート電圧に応じてカットオフ領域、線形領域、又は飽和領域で動作する場合、ｐ型トランジスタがオンとは、線形領域又は飽和領域であることを意味する。従って、ｐ型差動増幅回路１００は動作し（オン）、ｎ型差動増幅回路１１０も動作する（オン）。この場合、第１の補助回路１３０の動作をオン又はオフし、第２の補助回路１４０の動作をオン又はオフする。即ち、ｐ型差動増幅回路１００及びｎ型差動増幅回路１１０が動作するため、出力ノードＮＤ１、ＮＤ２が不定状態にならず、図１３に示す構成の差動増幅器と同様に、出力回路１２０により出力信号Ｖｏｕｔを出力する。従って、第１及び第２補助回路１３０、１４０を動作させてもよいし、動作させなくてもよい。図５では、動作をオンさせている。
【００９１】
Ｖｔｈｎ＋ＶＳＳ＞Ｖｉｎ≧ＶＳＳでは、ｐ型トランジスタがオン、ｎ型トランジスタがオフとなる。ここでｎ型トランジスタがゲート電圧に応じてカットオフ領域、線形領域、又は飽和領域で動作する場合、ｎ型トランジスタがオフとは、カットオフ領域であることを意味する。従って、ｎ型差動増幅回路１１０は動作せず（オフ）、ｐ型差動増幅回路１００は動作する（オン）。そこで第２の補助回路１４０の動作をオン（出力ノードＮＤ２（第２の出力ノード）及び反転出力ノードＮＸＤ２（第２の反転出力ノード）の少なくとも一方を駆動させ）し、第１の補助回路１３０の動作をオフする。このように、ｎ型差動増幅回路１１０が動作しない範囲で、第２の補助回路１４０によりｎ型差動増幅回路１１０の出力ノードＮＤ２（反転出力ノードＮＸＤ２）を駆動することで、ｎ型差動増幅回路１１０の第２の差動トランジスタ対の入力不感帯の範囲の入力信号Ｖｉｎに対しても、出力ノードＮＤ２の電圧を不定状態にすることがなくなる。
【００９２】
以上のように第１及び第２の補助回路１３０、１４０により、出力回路１２０を構成する第１及び第２の駆動トランジスタＮＴＯ１、ＰＴＯ１のゲート電圧が制御できるようになり、入力信号Ｖｉｎが入力不感帯の範囲であることに起因する不要な貫通電流の発生を無くすことができる。しかも、入力信号Ｖｉｎの入力不感帯を無くすことで、ｐ型トランジスタの閾値電圧Ｖｔｈｐ及びｎ型トランジスタの閾値電圧Ｖｔｈｎのばらつきを考慮して約１．９ボルトのオフセットを設ける必要がなくなる。そのため、高電位側の電源電圧ＶＤＤと低電位側の電源電圧ＶＳＳとの間の電圧を振幅として、演算増幅器を形成できるようになるので、駆動能力を低下させることなく動作電圧を狭くでき、更に消費電力を削減できるようになる。これは、昇圧回路の実装や製造プロセスの低耐圧化を意味し、低コスト化を実現する。
【００９３】
以下では、本実施形態における演算増幅器の詳細な構成例について説明する。
【００９４】
図４において、ｐ型差動増幅回路１００は、第１の電流源ＣＳ１と、上述の第１の差動トランジスタ対と、第１のカレントミラー回路ＣＭ１とを含む。第１の電流源ＣＳ１の一端に、高電位側の電源電圧ＶＤＤ（第１の電源電圧）が供給される。第１の電流源ＣＳ１の他端に、上述の第１の差動トランジスタ対を構成するｐ型トランジスタＰＴ１、ＰＴ２のソースが接続される。
【００９５】
第１のカレントミラー回路ＣＭ１は、ゲート同士が互いに接続されたｎ型（第２の導電型）の第１のトランジスタ対を含む。この第１のトランジスタ対は、ｎ型トランジスタＮＴ１、ＮＴ２を含む。ｎ型トランジスタＮＴ１、ＮＴ２の各トランジスタのソースに低電位側の電源電圧ＶＳＳ（第２の電源電圧）が供給される。ｎ型トランジスタＮＴ１のドレインが出力ノードＮＤ１（第１の出力ノード）に接続される。ｎ型トランジスタＮＴ２のドレインが反転出力ノードＮＸＤ１（第１の反転出力ノード）に接続される。ｎ型トランジスタＮＴ２（第１の差動トランジスタ対を構成するトランジスタのうち反転出力ノードＮＸＤ１に接続されるトランジスタ）のドレイン及びゲートが接続される。
【００９６】
またｎ型差動増幅回路１１０は、第２の電流源ＣＳ２と、上述の第２の差動トランジスタ対と、第２のカレントミラー回路ＣＭ２とを含む。第２の電流源ＣＳ２の一端に、低電位側の電源電圧ＶＳＳ（第２の電源電圧）が供給される。第２の電流源ＣＳ２の他端に、上述の第２の差動トランジスタ対を構成するｎ型トランジスタＮＴ３、ＮＴ４のソースが接続される。
【００９７】
第２のカレントミラー回路ＣＭ２は、ゲート同士が互いに接続されたｐ型（第１の導電型）の第２のトランジスタ対を含む。この第２のトランジスタ対は、ｐ型トランジスタＰＴ３、ＰＴ４を含む。ｐ型トランジスタＰＴ３、ＰＴ４の各トランジスタのソースに高電位側の電源電圧ＶＤＤ（第１の電源電圧）が供給される。ｐ型トランジスタＰＴ３のドレインが出力ノードＮＤ２（第２の出力ノード）に接続される。ｐ型トランジスタＰＴ４のドレインが反転出力ノードＮＸＤ２（第２の反転出力ノード）に接続される。ｐ型トランジスタＰＴ４（第２のトランジスタ対を構成するトランジスタのうち反転出力ノードＮＸＤ２に接続されるトランジスタ）のドレイン及びゲートが接続される。
【００９８】
また第１の補助回路１３０は、ｐ型（第１の導電型）の第１及び第２の電流駆動トランジスタＰＡ１、ＰＡ２と、第１の電流制御回路１３２とを含むことができる。第１及び第２の電流駆動トランジスタＰＡ１、ＰＡ２の各トランジスタのソースに、高電位側の電源電圧ＶＤＤ（第１の電源電圧）が供給される。第１の電流駆動トランジスタＰＡ１のドレインは、出力ノードＮＤ１（第１の出力ノード）に接続される。第２の電流駆動トランジスタＰＡ２のドレインは、反転出力ノードＮＸＤ１（第１の反転出力ノード）に接続される。
【００９９】
そして、第１の電流制御回路１３２が、入力信号Ｖｉｎ及び出力信号Ｖｏｕｔに基づいて第１及び第２の電流駆動トランジスタＰＡ１、ＰＡ２のゲート電圧を制御する。より具体的には、第１の差動トランジスタ対を構成するトランジスタのうち入力信号Ｖｉｎがゲートに入力されるｐ型トランジスタＰＴ１のゲート・ソース間の電圧（の絶対値）が該トランジスタの閾値電圧（の絶対値）より小さいとき、第１の電流制御回路１３２が、出力ノードＮＤ１（第１の出力ノード）及び反転出力ノードＮＸＤ１（第１の反転出力ノード）の少なくとも一方を駆動するように第１及び第２の電流駆動トランジスタＰＡ１、ＰＡ２のゲート電圧を制御する。
【０１００】
また第２の補助回路１４０は、ｎ型（第２の導電型）の第３及び第４の電流駆動トランジスタＮＡ３、ＮＡ４と、第２の電流制御回路１４２とを含むことができる。第３及び第４の電流駆動トランジスタＮＡ３、ＮＡ４の各トランジスタのソースに、低電位側の電源電圧ＶＳＳ（第２の電源電圧）が供給される。第３の電流駆動トランジスタＮＡ３のドレインは、出力ノードＮＤ２（第２の出力ノード）に接続される。第４の電流駆動トランジスタＮＡ４のドレインは、反転出力ノードＮＸＤ２（第２の反転出力ノード）に接続される。
【０１０１】
そして、第２の電流制御回路１４２が、入力信号Ｖｉｎ及び出力信号Ｖｏｕｔに基づいて第３及び第４の電流駆動トランジスタＮＡ３、ＮＡ４のゲート電圧を制御する。より具体的には、第２の差動トランジスタ対を構成するトランジスタのうち入力信号Ｖｉｎがゲートに入力されるｎ型トランジスタＮＴ３のゲート・ソース間の電圧の絶対値が該トランジスタの閾値電圧の絶対値より小さいとき、第２の電流制御回路１４２が、出力ノードＮＤ２（第２の出力ノード）及び反転出力ノードＮＸＤ２（第２の反転出力ノード）の少なくとも一方を駆動するように第３及び第４の電流駆動トランジスタＮＡ３、ＮＡ４のゲート電圧を制御する。
【０１０２】
図６に、第１の電流制御回路１３２の構成例を示す。但し、図４に示す演算増幅器と同一部分には同一符号を付し、適宜説明を省略する。
【０１０３】
第１の電流制御回路１３２は、第３の電流源ＣＳ３と、ｎ型（第２の導電型）の第３の差動トランジスタ対と、ｐ型（第１の導電型）の第５及び第６の電流駆動トランジスタＰＳ５、ＰＳ６とを含む。
【０１０４】
第３の電流源ＣＳ３の一端に、低電位側の電源電圧ＶＳＳ（第２の電源電圧）が供給される。
【０１０５】
第３の差動トランジスタ対は、ｎ型トランジスタＮＳ５、ＮＳ６を含む。ｎ型トランジスタＮＳ５、ＮＳ６の各トランジスタのソースが、第３の電流源ＣＳ３の他端に接続される。ｎ型トランジスタＮＳ５のゲートに、入力信号Ｖｉｎが入力される。ｎ型トランジスタＮＳ６のゲートに、出力信号Ｖｏｕｔが入力される。
【０１０６】
第５及び第６の電流駆動トランジスタＰＳ５、ＰＳ６の各トランジスタのソースに、高電位側の電源電圧ＶＤＤ（第１の電源電圧）が供給される。第５の電流駆動トランジスタＰＳ５のドレインが、第３の差動トランジスタ対を構成するｎ型トランジスタＮＳ５のドレインに接続される。第６の電流駆動トランジスタＰＳ６のドレインが、第３の差動トランジスタ対を構成するｎ型トランジスタＮＳ６のドレインに接続される。第５の電流駆動トランジスタＰＳ５のゲート及びドレインが接続される。第６の電流駆動トランジスタＰＳ６のゲート及びドレインが接続される。
【０１０７】
そして、第３の差動トランジスタ対を構成するｎ型トランジスタＮＳ５（第３の差動トランジスタ対を構成するトランジスタのうちそのゲートに入力信号Ｖｉｎが入力されるトランジスタ）のドレイン（或いは第５の電流駆動トランジスタＰＳ５のドレイン）が、第２の電流駆動トランジスタＰＡ２のゲートに接続される。また、第３の差動トランジスタ対を構成するｎ型トランジスタＮＳ６（第３の差動トランジスタ対を構成するトランジスタのうちそのゲートに出力信号Ｖｏｕｔが入力されるトランジスタ）のドレイン（或いは第６の電流駆動トランジスタＰＳ６のドレイン）が、第１の電流駆動トランジスタＰＡ１のゲートに接続される。
【０１０８】
即ち、第１及び第６の電流駆動トランジスタＰＡ１、ＰＳ６は、カレントミラー回路を構成する。同様に、第２及び第５の電流駆動トランジスタＰＡ２、ＰＳ５は、カレントミラー回路を構成する。
【０１０９】
図７に、第２の電流制御回路１４２の構成例を示す。但し、図４に示す演算増幅器と同一部分には同一符号を付し、適宜説明を省略する。
【０１１０】
第２の電流制御回路１４２は、第４の電流源ＣＳ４と、ｐ型（第１の導電型）の第４の差動トランジスタ対と、ｎ型（第２の導電型）の第７及び第８の電流駆動トランジスタＮＳ７、ＮＳ８とを含む。
【０１１１】
第４の電流源ＣＳ４の一端に、高電位側の電源電圧ＶＤＤ（第１の電源電圧）が供給される。
【０１１２】
第４の差動トランジスタ対は、ｐ型トランジスタＰＳ７、ＰＳ８を含む。ｐ型トランジスタＰＳ７、ＰＳ８の各トランジスタのソースが、第４の電流源ＣＳ４の他端に接続される。ｐ型トランジスタＰＳ７のゲートに、入力信号Ｖｉｎが入力される。ｐ型トランジスタＰＳ８のゲートに、出力信号Ｖｏｕｔが入力される。
【０１１３】
第７及び第８の電流駆動トランジスタＮＳ７、ＮＳ８の各トランジスタのソースに、低電位側の電源電圧ＶＳＳ（第２の電源電圧）が供給される。第７の電流駆動トランジスタＮＳ７のドレインが、第４の差動トランジスタ対を構成するｐ型トランジスタＰＳ７のドレインに接続される。第８の電流駆動トランジスタＮＳ８のドレインが、第４の差動トランジスタ対を構成するｐ型トランジスタＰＳ８のドレインに接続される。第７の電流駆動トランジスタＮＳ７のゲート及びドレインが接続される。第８の電流駆動トランジスタＮＳ８のゲート及びドレインが接続される。
【０１１４】
そして、第４の差動トランジスタ対を構成するｐ型トランジスタＰＳ７（第４の差動トランジスタ対を構成するトランジスタのうちそのゲートに入力信号Ｖｉｎが入力されるトランジスタ）のドレイン（或いは第７の電流駆動トランジスタＮＳ７のドレイン）が、第４の電流駆動トランジスタＮＡ４のゲートに接続される。また、第４の差動トランジスタ対を構成するｐ型トランジスタＰＳ８（第４の差動トランジスタ対を構成するトランジスタのうちそのゲートに出力信号Ｖｏｕｔが入力されるトランジスタ）のドレイン（或いは第８の電流駆動トランジスタＮＳ８のドレイン）が、第３の電流駆動トランジスタＮＡ３のゲートに接続される。
【０１１５】
即ち、第３及び第８の電流駆動トランジスタＮＡ３、ＮＳ８は、カレントミラー回路を構成する。同様に、第４及び第７の電流駆動トランジスタＮＡ４、ＮＳ７は、カレントミラー回路を構成する。
【０１１６】
次に、第１の補助回路１３０が図６に示す第１の電流制御回路１３２を有し、第２の補助回路１４０が図７に示す構成の第２の電流制御回路１４２を有するものとして、図４に示す構成の演算増幅器の動作について説明する。
【０１１７】
まず、Ｖｔｈｎ＋ＶＳＳ≧Ｖｉｎ＞ＶＳＳのとき、ｐ型差動増幅回路１００は、ｐ型トランジスタＰＴ１がオンとなって適正な動作を行うが、ｎ型差動増幅回路１１０は、ｎ型トランジスタＮＴ３が動作しないため、ｎ型差動増幅回路１１０の各ノードの電圧は不定となる。
【０１１８】
ここで第２の補助回路１４０に着目すると、ｐ型トランジスタＰＳ７がオンしてインピーダンスが小さくなるため、第４の電流駆動トランジスタＮＡ４のゲート電圧が上がる。この結果、第４の電流駆動トランジスタＮＡ４のインピーダンスが小さくなる。即ち、第４の電流駆動トランジスタＮＡ４が反転出力ノードＮＸＤ２を駆動して電流を引き込み、反転出力ノードＮＸＤ２の電位が低くなる。この結果、ｐ型トランジスタＰＴ３のインピーダンスが小さくなって、出力ノードＮＤ２の電位が上がる。そして、出力回路１２０の第２の駆動トランジスタＰＴＯ１のインピーダンスが大きくなって、出力信号Ｖｏｕｔの電位が下がる。これにより、ｐ型トランジスタＰＳ８のインピーダンスが小さくなって、第３の電流駆動トランジスタＮＡ３のゲート電圧が上昇する。従って、第３の電流駆動トランジスタＮＡ３のインピーダンスが小さくなり、出力ノードＮＤ２の電位が下がる。
【０１１９】
こうして、ｐ型トランジスタＰＴ３のインピーダンスを小さくして出力ノードＮＤ２の電位を上げた結果がフィードバックされ、第３の電流駆動トランジスタＮＡ３のインピーダンスを小さくして出力ノードＮＤ２の電位を下げる。この結果、入力信号Ｖｉｎの電圧と出力信号Ｖｏｕｔの電圧がほぼ等しくなる平衡状態になり、第２の駆動トランジスタＰＴＯ１のゲート電圧が最適なところに確定する。
【０１２０】
次に、ＶＤＤ≧Ｖｉｎ＞ＶＤＤ−｜Ｖｔｈｐ｜のとき、上述の場合と逆に動作する。即ち、ｎ型差動増幅回路１１０は、ｎ型トランジスタＮＴ３がオンとなって適正な動作を行うが、ｐ型差動増幅回路１００は、ｐ型トランジスタＰＴ１が動作しないため、ｐ型差動増幅回路１００の各ノードの電圧は不定となる。
【０１２１】
ここで第１の補助回路１３０に着目すると、ｎ型トランジスタＮＳ５がオンしてインピーダンスが小さくなるため、第２の電流駆動トランジスタＰＡ２のゲート電圧が下がる。この結果、第２の電流駆動トランジスタＰＡ２のインピーダンスが小さくなる。即ち、第２の電流駆動トランジスタＰＡ２が反転出力ノードＮＸＤ１を駆動して電流を供給し、反転出力ノードＮＸＤ１の電位が高くなる。この結果、ｎ型トランジスタＮＴ２のインピーダンスが小さくなって、出力ノードＮＤ１の電位が下がる。そして、出力回路１２０の第１の駆動トランジスタＮＴＯ１のインピーダンスが大きくなって、出力信号Ｖｏｕｔの電位が上がる。これにより、ｎ型トランジスタＮＳ６のインピーダンスが小さくなって、第１の電流駆動トランジスタＰＡ１のゲート電圧が下がる。従って、第１の電流駆動トランジスタＰＡ１のインピーダンスが小さくなり、出力ノードＮＤ１の電位が上がる。
【０１２２】
こうして、ｎ型トランジスタＮＴ２のインピーダンスを小さくして出力ノードＮＤ１の電位を下げた結果がフィードバックされ、第１の電流駆動トランジスタＰＡ１のインピーダンスを小さくして出力ノードＮＤ１の電位を上げる。この結果、入力信号Ｖｉｎの電圧と出力信号Ｖｏｕｔの電圧がほぼ等しくなる平衡状態になり、第１の駆動トランジスタＮＴＯ１のゲート電圧が最適なところに確定する。
【０１２３】
なおＶＤＤ−｜Ｖｔｈｐ｜≧Ｖｉｎ≧Ｖｔｈｎ＋ＶＳＳでは、ｐ型差動増幅回路１００及びｎ型差動増幅回路１１０が動作し、出力ノードＮＤ１、ＮＤ２の電位が確定するため、第１及び第２の補助回路１３０、１４０を動作させなくても、入力信号Ｖｉｎの電圧と出力信号Ｖｏｕｔの電圧がほぼ等しくなる平衡状態になる。
【０１２４】
図８に、ｐ型差動増幅回路１００及び第１の補助回路１３０のノードの電圧変化についてのシミュレーション結果を示す。図９に、ｎ型差動増幅回路１１０及び第２の補助回路１４０のノードの電圧変化についてのシミュレーション結果を示す。更に図１０に、出力ノードＮＤ１、ＮＤ２の電圧変化についてのシミュレーション結果を示す。
【０１２５】
図８において、ノードＳＧ１は、第１の電流駆動トランジスタＰＡ１のゲートである。ノードＳＧ２は、第２の電流駆動トランジスタＰＡ２のゲートである。ノードＳＧ３は、第１の差動トランジスタ対を構成するｐ型トランジスタＰＴ１、ＰＴ２のソースである。
【０１２６】
図９において、ノードＳＧ４は、第４の電流駆動トランジスタＮＡ４のゲートである。ノードＳＧ５は、第３の電流駆動トランジスタＮＡ３のゲートである。ノードＳＧ６は、第２の差動トランジスタ対を構成するｎ型トランジスタＮＴ３、ＮＴ４のソースである。
【０１２７】
図８〜図１０に示すように、０．５ボルト付近の入力信号Ｖｉｎが入力された場合であっても、出力ノードＮＤ１が不定状態とならず、出力回路１２０を構成する第１の駆動トランジスタＮＴＯ１のゲート電圧を制御している。
【０１２８】
以上説明したように、本実施形態によれば、入力不感帯をなくし、いわゆるrail-to-railで動作し、かつ出力回路１２０の貫通電流を確実に抑える制御が可能となる。これにより、大幅に低消費電力化を実現する演算増幅器を提供できる。更にＡＢ級動作が可能となるため、液晶の印加電圧を反転させる極性反転駆動において、極性に関わらずデータ線を安定して駆動できるようになる。
【０１２９】
２．１  電流値の調整
本実施形態における演算増幅器では、ｐ型差動増幅回路１００、ｎ型差動増幅回路１１０、第１の補助回路１３０、及び第２の補助回路１４０の電流源の動作時の電流値を工夫することで、更に発振しにくくして回路の安定性を向上させることができる。
【０１３０】
図１１に、本実施形態における演算増幅器の他の構成例の回路図を示す。図１１では、各電流源をトランジスタで構成している。この場合、各トランジスタのゲート電圧を制御することで、電流源の無駄な電流消費を削減できる。
【０１３１】
本実施形態における演算増幅器の発振を防止するためには、出力回路１２０を構成する第１及び第２の駆動トランジスタＮＴＯ１、ＰＴＯ１のドレイン電流を等しくすることが有効である。第１の駆動トランジスタＮＴＯ１のドレイン電流は、ｐ型差動増幅回路１００の第１の電流源ＣＳ１の動作時の電流値Ｉ１と、第１の補助回路１３０の第３の電流源ＣＳ３の動作時の電流値Ｉ３とにより定まる。第２の駆動トランジスタＰＴＯ１のドレイン電流は、ｎ型差動増幅回路１１０の第２の電流源ＣＳ２の動作時の電流値Ｉ２と、第２の補助回路１４０の第４の電流源ＣＳ４の動作時の電流値Ｉ４とにより定まる。
【０１３２】
ここで、電流値Ｉ１と電流値Ｉ３とが等しくないものとする。例えば電流値Ｉ１を１０、電流値Ｉ３を５とする。同様に、電流値Ｉ２と電流値Ｉ４とが等しくないものとする。例えば電流値Ｉ２を１０、電流値Ｉ４を５とする。
【０１３３】
入力信号Ｖｉｎの電圧が、ｐ型差動増幅回路１００と第１の補助回路１３０が動作する範囲の場合、第１の駆動トランジスタＮＴＯ１のドレイン電流は例えば１５（＝Ｉ１＋Ｉ３＝１０＋５）に相当する分が流れる。同様に、入力信号Ｖｉｎの電圧が、ｎ型差動増幅回路１１０と第２の補助回路１４０が動作する範囲の場合、第２の駆動トランジスタＰＴＯ１のドレイン電流は例えば１５（＝Ｉ２＋Ｉ４＝１０＋５）に相当する分が流れる。
【０１３４】
これに対して、例えば入力信号Ｖｉｎの電圧が低くなってｎ型トランジスタが動作しなくなると、ｎ型差動増幅回路１１０と第１の補助回路１３０が動作しなくなる。従って、第２及び第３の電流源ＣＳ２、ＣＳ３が流れなくなる（Ｉ２＝０、Ｉ３＝０）。そのため、第１の駆動トランジスタＮＴＯ１のドレイン電流は例えば１０（＝Ｉ１）に相当する分が流れ、第２の駆動トランジスタＰＴＯ１のドレイン電流は例えば５（＝Ｉ４）に相当する分が流れる。例えば入力信号Ｖｉｎの電圧が高くなってｐ型トランジスタが動作しなくなる場合も同様である。
【０１３５】
このように、出力回路１２０を構成する第１及び第２の駆動トランジスタＮＴＯ１、ＰＴＯ１のドレイン電流が異なり、出力信号Ｖｏｕｔの立ち上がり又は立ち下がりが異なると、出力が安定する時間が異なることとなり、発振し易くなる。
【０１３６】
そこで、本実施形態における演算増幅器では、第１及び第３の電流源ＣＳ１、ＣＳ３の動作時の電流値が等しく（Ｉ１＝Ｉ３）、かつ第２及び第４の電流源ＣＳ２、ＣＳ４の動作時の電流値が等しい（Ｉ２＝Ｉ４）ことが望ましい。これは、第１〜第４の電流源ＣＳ１〜ＣＳ４を構成するトランジスタのチャネル長Ｌを共通にし、第１及び第３の電流源ＣＳ１、ＣＳ３を構成するトランジスタのチャネル幅を等しくし、かつ第２及び第４の電流源ＣＳ２、ＣＳ４を構成するトランジスタのチャネル幅を等しくすることで実現できる。
【０１３７】
更に、第１〜第４の電流源ＣＳ１〜ＣＳ４の各電流源の動作時の電流値が等しいこと（Ｉ１＝Ｉ２＝Ｉ３＝Ｉ４）が望ましい。この場合、設計が容易になるからである。
【０１３８】
また第３及び第４の電流源ＣＳ３、ＣＳ４の動作時の電流値の少なくとも一方を削減することで、より低消費電力化を図ることができる。この場合、第１〜第４の電流駆動トランジスタＰＡ１、ＰＡ２、ＮＡ３、ＮＡ４の各トランジスタの電流駆動能力を低下させることなく、第３及び第４の電流源ＣＳ３、ＣＳ４の動作時の電流値の少なくとも一方を削減する必要がある。
【０１３９】
図１２に、第４の電流源ＣＳ４の動作時の電流値を削減する構成例の説明図を示す。但し、図４、図７、図１１と同一部分には同一符号を付し、適宜説明を省略する。
【０１４０】
図１２では、第４の電流源ＣＳ４の動作時の電流値を削減するために、第３及び第８の電流駆動トランジスタＮＡ３、ＮＳ８がカレントミラー回路を構成することを利用する。第３の電流駆動トランジスタＮＡ３のチャネル長をＬ、チャネル幅をＷＡ３、第３の電流駆動トランジスタＮＡ３のドレイン電流をＩＮＡ３とし、第８の電流駆動トランジスタＮＳ８のチャネル長をＬ、チャネル幅をＷＳ８、第８の電流駆動トランジスタＮＳ８のドレイン電流をＩＮＳ８とする。このとき、ＩＮＡ３＝（ＷＡ３／ＷＳ８）×ＩＮＳ８と表わすことができる。ここで、（ＷＡ３／ＷＳ８）は、第８の電流駆動トランジスタＮＳ８の電流駆動能力に対する第３の電流駆動トランジスタＮＡ３の電流駆動能力の比を意味する。従って、（ＷＡ３／ＷＳ８）を１より大きくすることで、第３の電流駆動トランジスタＮＡ３の電流駆動能力を低下させることなくドレイン電流ＩＮＳ８を小さくでき、第４の電流源ＣＳ４の動作時の電流値Ｉ４も小さくできる。
【０１４１】
なお図１２において、第４及び第７の電流駆動トランジスタＮＡ４、ＮＳ７がカレントミラー回路を構成することを利用してもよい。
【０１４２】
また同様に、第３の電流源ＣＳ３の動作時の電流値を削減することが望ましい。この場合、第１及び第６の電流駆動トランジスタＰＡ１、ＰＳ６がカレントミラー回路を構成することを利用したり、第２及び第５の電流駆動トランジスタＰＡ２、ＰＳ５がカレントミラー回路を構成することを利用したりする。
【０１４３】
以上のように、第６の電流駆動トランジスタＰＳ６の電流駆動能力に対する第１の電流駆動トランジスタＰＡ１の電流駆動能力の比、第５の電流駆動トランジスタＰＳ５の電流駆動能力に対する第２の電流駆動トランジスタＰＡ２の電流駆動能力の比、第８の電流駆動トランジスタＮＳ８の電流駆動能力に対する第３の電流駆動トランジスタＮＡ３の電流駆動能力の比、及び第７の電流駆動トランジスタＮＳ７の電流駆動能力に対する第４の電流駆動トランジスタＮＡ４の電流駆動能力の比のうち少なくとも１つを、１より大きくする。こうすることで、第３及び第４の電流源ＣＳ３、ＣＳ４のうち少なくとも１つの動作時の電流値を削減できる。
【０１４４】
なお、本発明は上述した実施の形態に限定されるものではなく、本発明の要旨の範囲内で種々の変形実施が可能である。例えば表示パネルとして液晶表示パネルに適用する場合について説明したが、これに限定されるものではない。また各トランジスタをＭＯＳトランジスタとして説明したが、これに限定されるものではない。
【０１４５】
また演算増幅器、該演算増幅器を構成するｐ型差動増幅回路、ｎ型差動増幅回路、出力回路、第１の補助回路、第２の補助回路の構成も、上述の実施形態で説明した構成に限定されず、これらの均等な種々の構成を採用できる。
【０１４６】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１４７】
【図１】本実施形態の演算増幅器を適用した液晶装置のブロック図。
【図２】図１のデータ線駆動回路の構成例を示す図。
【図３】図１の走査線駆動回路の構成例を示す図。
【図４】本実施形態における演算増幅器の構成例を示す図。
【図５】図４に示す演算増幅器の動作説明図。
【図６】第１の電流制御回路の構成例の回路図。
【図７】第２の電流制御回路の構成例の回路図。
【図８】ｐ型差動増幅回路及び第１の補助回路のノードの電圧変化についてのシミュレーション結果を示す図。
【図９】ｎ型差動増幅回路及び第２の補助回路のノードの電圧変化についてのシミュレーション結果を示す図。
【図１０】出力ノードの電圧変化についてのシミュレーション結果を示す図。
【図１１】本実施形態における演算増幅器の他の構成例の回路図。
【図１２】第４の電流源の動作時の電流値を削減する構成例の説明図。
【図１３】公知の演算増幅器の構成図。
【図１４】入力不感帯の説明図。
【符号の説明】
【０１４８】
１００  ｐ型差動増幅回路（第１の導電型差動増幅回路）、
１１０  ｎ型差動増幅回路（第２の導電型差動増幅回路）、
１２０  出力回路、１３０  第１の補助回路、１３２  第１の電流制御回路、
１４０  第２の補助回路、１４２  第２の電流制御回路、
ＶＤＤ  高電位側の電源電圧（第１の電源電圧）、Ｖｉｎ  入力信号、
Ｖｏｕｔ  出力信号、ＶＳＳ  低電位側の電源電圧（第２の電源電圧）、
ＰＡ１  第１の電流駆動トランジスタ、ＰＡ２  第２の電流駆動トランジスタ、
ＰＳ７、ＰＳ８、ＰＴ１、ＰＴ２、ＰＴ３、ＰＴ４  ｐ型トランジスタ、
ＰＳ５  第５の電流駆動トランジスタ、ＰＳ６  第６の電流駆動トランジスタ、
ＰＴＯ１  第２の駆動トランジスタ、
ＮＡ３  第３の電流駆動トランジスタ、ＮＡ４  第４の電流駆動トランジスタ、
ＮＳ５、ＮＳ６、ＮＴ１、ＮＴ２、ＮＴ３、ＮＴ４  ｎ型トランジスタ、
ＮＳ７  第７の電流駆動トランジスタ、ＮＳ８  第８の電流駆動トランジスタ、
ＮＴＯ１  第１の駆動トランジスタ
【図１】
2005175811.tif 000003
【図２】
2005175811.tif 000004
【図３】
2005175811.tif 000005
【図４】
2005175811.tif 000006
【図５】
2005175811.tif 000007
【図６】
2005175811.tif 000008
【図７】
2005175811.tif 000009
【図８】
2005175811.tif 000010
【図９】
2005175811.tif 000011
【図１０】
2005175811.tif 000012
【図１１】
2005175811.tif 000013
【図１２】
2005175811.tif 000014
【図１３】
2005175811.tif 000015
【図１４】
2005175811.tif 000016